(57)【要約】【課題】対象車両が旋回を開始してから比較的早い段階で、対象車両が進入しようとしている進入車線を推定できる技術を提供する。【解決手段】進入車線推定システムにおいて、走行軌跡情報、車線情報及び相対関係情報に基づいて進入車線Ｌｉを推定する進入車線推定部は、交差点Ｃにおいて対象車両Ｖが旋回を開始した後、走行軌跡情報に基づく対象車両Ｖの旋回中の走行軌跡Ｔである実旋回軌跡Ｔ１が、曲率半径が次第に小さくなるクロソイド曲線状である第１曲線Ｃ１から、曲率半径ｒが一定の円弧状である第２曲線Ｃ２に変化したと判定した場合に、第１曲線Ｃ１から第２曲線Ｃ２に移行したと判定した位置Ｐ４から進入車線Ｌｉに進入するまでの対象車両Ｖの走行軌跡Ｔである推定旋回軌跡Ｔ２を、第１曲線Ｃ１の形状と、第２曲線Ｃ２の曲率半径ｒと、に基づいて推定する。【選択図】図２
2020125988.tif 000002
【特許請求の範囲】
【請求項１】
交差点に接続された複数の道路の１つである進入道路が有する複数の車線の１つであり、前記交差点から前記進入道路に向けて旋回する対象車両が進入しようとしている車線である進入車線を推定する進入車線推定システムであって、
前記対象車両の走行軌跡を示す走行軌跡情報を取得する走行軌跡情報取得部と、
前記交差点における前記進入道路の複数の前記車線の位置関係を示す車線情報を取得する車線情報取得部と、
前記交差点の基準位置と前記対象車両との相対位置関係を示す相対関係情報を取得する相対関係情報取得部と、
前記走行軌跡情報、前記車線情報、及び前記相対関係情報に基づいて、前記進入車線を推定する進入車線推定部と、を備え、
前記進入車線推定部は、
前記交差点において前記対象車両が旋回を開始した後、前記走行軌跡情報に基づく前記対象車両の旋回中の走行軌跡である実旋回軌跡が、曲率半径が次第に小さくなるクロソイド曲線状である第１曲線から、曲率半径が一定の円弧状である第２曲線に変化したと判定した場合に、
前記第１曲線から前記第２曲線に移行したと判定した位置から前記進入車線に進入するまでの前記対象車両の走行軌跡である推定旋回軌跡を、前記第１曲線の形状と、前記第２曲線の曲率半径と、に基づいて推定する、進入車線推定システム。
【請求項２】
前記基準位置は、前記交差点の中心から規定範囲内に設けられた地物である対象地物の位置であり、
前記対象車両に搭載された車載カメラにより撮影された、前記対象地物が含まれる画像である対象画像を取得する画像取得部と、
前記対象画像に対する画像認識処理を行って、当該対象画像中の前記対象地物を認識する画像認識部と、
前記対象地物の絶対位置を示す基準位置情報が記憶されたデータベースから前記基準位置情報を取得する基準位置情報取得部と、を更に備え、
前記相対関係情報取得部は、
前記画像認識処理の結果に基づいて、前記対象地物に対する前記対象車両の相対位置である車両相対位置を演算し、
前記車両相対位置と、前記基準位置情報に示された前記対象地物の絶対位置と、に基づいて、前記対象車両の絶対位置である車両絶対位置を演算し、
前記走行軌跡情報取得部は、前記車両絶対位置を基準とした前記対象車両の走行軌跡を演算する、請求項１に記載の進入車線推定システム。
【請求項３】
前記進入車線推定部は、前記推定旋回軌跡が、前記第２曲線を当該第２曲線と同じ曲率半径で延長した円弧状の曲線と、前記第１曲線に線対称の形状であって曲率半径が次第に大きくなるクロソイド曲線状である第３曲線と、を含む曲線であると推定する、請求項１又は２に記載の進入車線推定システム。
【請求項４】
前記進入車線推定部は、前記推定旋回軌跡が、前記第２曲線を当該第２曲線と同じ曲率半径で延長した円弧状の曲線と、前記第１曲線の長さに応じた長さを有すると共に予め設定された形状を有する第４曲線と、を含む曲線であると推定する、請求項１又は２に記載の進入車線推定システム。
【請求項５】
前記進入車線推定部は、推定した前記進入車線が前記進入道路の対向車線である場合に、前記対象車両が逆走しようとしていると判定する、請求項１から４のいずれか一項に記載の進入車線推定システム。
【請求項６】
交差点に接続された複数の道路の１つである進入道路が有する複数の車線の１つであり、前記交差点から前記進入道路に向けて旋回する対象車両が進入しようとしている車線である進入車線を推定する進入車線推定方法であって、
前記対象車両の走行軌跡を示す走行軌跡情報を取得する走行軌跡情報取得ステップと、
前記交差点における前記進入道路の複数の前記車線の位置関係を示す車線情報を取得する車線情報取得ステップと、
前記交差点の基準位置と前記対象車両との相対位置関係を示す相対関係情報を取得する相対関係情報取得ステップと、
前記走行軌跡情報、前記車線情報、及び前記相対関係情報に基づいて、前記進入車線を推定する進入車線推定ステップと、を備え、
前記進入車線推定ステップでは、
前記交差点において前記対象車両が旋回を開始した後、前記走行軌跡情報に基づく前記対象車両の旋回中の走行軌跡が、曲率半径が次第に小さくなるクロソイド曲線状である第１曲線から、曲率半径が一定の円弧状である第２曲線に変化したと判定した場合に、
前記第１曲線から前記第２曲線に移行したと判定した位置から前記進入車線に進入するまでの前記対象車両の走行軌跡である推定旋回軌跡を、前記第１曲線の形状と、前記第２曲線の曲率半径と、に基づいて推定する、進入車線推定方法。
【請求項７】
交差点に接続された複数の道路の１つである進入道路が有する複数の車線の１つであり、前記交差点から前記進入道路に向けて旋回する対象車両が進入しようとしている車線である進入車線を推定する進入車線推定プログラムであって、
前記対象車両の走行軌跡を示す走行軌跡情報を取得する走行軌跡情報取得機能と、
前記交差点における前記進入道路の複数の前記車線の位置関係を示す車線情報を取得する車線情報取得機能と、
前記交差点の基準位置と前記対象車両との相対位置関係を示す相対関係情報を取得する相対関係情報取得機能と、
前記走行軌跡情報、前記車線情報、及び前記相対関係情報に基づいて、前記進入車線を推定する進入車線推定機能と、をコンピュータに実現させ、
前記進入車線推定機能では、
前記交差点において前記対象車両が旋回を開始した後、前記走行軌跡情報に基づく前記対象車両の旋回中の走行軌跡が、曲率半径が次第に小さくなるクロソイド曲線状である第１曲線から、曲率半径が一定の円弧状である第２曲線に変化したと判定した場合に、
前記第１曲線から前記第２曲線に移行したと判定した位置から前記進入車線に進入するまでの前記対象車両の走行軌跡である推定旋回軌跡を、前記第１曲線の形状と、前記第２曲線の曲率半径と、に基づいて推定する、進入車線推定プログラム。
【発明の詳細な説明】
【技術分野】
【０００１】
本発明は、交差点から旋回する対象車両が進入しようとしている車線を推定する技術に関する。
【背景技術】
【０００２】
下記の特許文献１には、対象車両が道路を正規の走行方向に対して逆方向に走行している逆走状態であるか否かを判定し、逆走状態であると判定された場合に、運転者に対してその旨を報知する技術が開示されている。
【先行技術文献】
【特許文献】
【０００３】
【特許文献１】特開２００８−３８０１号公報（図３）
【発明の概要】
【発明が解決しようとする課題】
【０００４】
特許文献１の技術では、対象車両が実際に対向車線に進入した後に、逆走状態であると判定される。つまり、特許文献１の技術は、対象車両が逆走状態となることを回避するものではない。安全性の観点から、対象車両が旋回を開始してから比較的早い段階で、対象車両が対向車線に進入しようとしていることを検知できることが好ましい。
【０００５】
そこで、対象車両が旋回を開始してから比較的早い段階で、対象車両が進入しようとしている進入車線を推定できる進入車線推定システムの実現が望まれる。
【課題を解決するための手段】
【０００６】
上記に鑑みた、進入車線推定システムの特徴構成は、
交差点に接続された複数の道路の１つである進入道路が有する複数の車線の１つであり、前記交差点から前記進入道路に向けて旋回する対象車両が進入しようとしている車線である進入車線を推定する進入車線推定システムであって、
前記対象車両の走行軌跡を示す走行軌跡情報を取得する走行軌跡情報取得部と、
前記交差点における前記進入道路の複数の前記車線の位置関係を示す車線情報を取得する車線情報取得部と、
前記交差点の基準位置と前記対象車両との相対位置関係を示す相対関係情報を取得する相対関係情報取得部と、
前記走行軌跡情報、前記車線情報、及び前記相対関係情報に基づいて、前記進入車線を推定する進入車線推定部と、を備え、
前記進入車線推定部は、
前記交差点において前記対象車両が旋回を開始した後、前記走行軌跡情報に基づく前記対象車両の旋回中の走行軌跡である実旋回軌跡が、曲率半径が次第に小さくなるクロソイド曲線状である第１曲線から、曲率半径が一定の円弧状である第２曲線に変化したと判定した場合に、
前記第１曲線から前記第２曲線に移行したと判定した位置から前記進入車線に進入するまでの前記対象車両の走行軌跡である推定旋回軌跡を、前記第１曲線の形状と、前記第２曲線の曲率半径と、に基づいて推定する点にある。
【０００７】
また、上記に鑑みた、進入車線推定システムの技術的特徴は、進入車線推定方法や進入車線推定プログラムにも適用可能であり、そのような方法やプログラム、更には、そのようなプログラムが記憶された記憶媒体（例えば、光ディスク、フラッシュメモリ等）も、本明細書によって開示される。
【０００８】
その場合における、進入車線推定方法の特徴構成は、
交差点に接続された複数の道路の１つである進入道路が有する複数の車線の１つであり、前記交差点から前記進入道路に向けて旋回する対象車両が進入しようとしている車線である進入車線を推定する進入車線推定方法であって、
前記対象車両の走行軌跡を示す走行軌跡情報を取得する走行軌跡情報取得ステップと、
前記交差点における前記進入道路の複数の前記車線の位置関係を示す車線情報を取得する車線情報取得ステップと、
前記交差点の基準位置と前記対象車両との相対位置関係を示す相対関係情報を取得する相対関係情報取得ステップと、
前記走行軌跡情報、前記車線情報、及び前記相対関係情報に基づいて、前記進入車線を推定する進入車線推定ステップと、を備え、
前記進入車線推定ステップでは、
前記交差点において前記対象車両が旋回を開始した後、前記走行軌跡情報に基づく前記対象車両の旋回中の走行軌跡が、曲率半径が次第に小さくなるクロソイド曲線状である第１曲線から、曲率半径が一定の円弧状である第２曲線に変化したと判定した場合に、
前記第１曲線から前記第２曲線に移行したと判定した位置から前記進入車線に進入するまでの前記対象車両の走行軌跡である推定旋回軌跡を、前記第１曲線の形状と、前記第２曲線の曲率半径と、に基づいて推定する点にある。
【０００９】
また、その場合における、進入車線推定プログラムの特徴構成は、
交差点に接続された複数の道路の１つである進入道路が有する複数の車線の１つであり、前記交差点から前記進入道路に向けて旋回する対象車両が進入しようとしている車線である進入車線を推定する進入車線推定プログラムであって、
前記対象車両の走行軌跡を示す走行軌跡情報を取得する走行軌跡情報取得機能と、
前記交差点における前記進入道路の複数の前記車線の位置関係を示す車線情報を取得する車線情報取得機能と、
前記交差点の基準位置と前記対象車両との相対位置関係を示す相対関係情報を取得する相対関係情報取得機能と、
前記走行軌跡情報、前記車線情報、及び前記相対関係情報に基づいて、前記進入車線を推定する進入車線推定機能と、をコンピュータに実現させ、
前記進入車線推定機能では、
前記交差点において前記対象車両が旋回を開始した後、前記走行軌跡情報に基づく前記対象車両の旋回中の走行軌跡が、曲率半径が次第に小さくなるクロソイド曲線状である第１曲線から、曲率半径が一定の円弧状である第２曲線に変化したと判定した場合に、
前記第１曲線から前記第２曲線に移行したと判定した位置から前記進入車線に進入するまでの前記対象車両の走行軌跡である推定旋回軌跡を、前記第１曲線の形状と、前記第２曲線の曲率半径と、に基づいて推定する点にある。
【００１０】
これらの特徴構成によれば、実旋回軌跡が、第１曲線から第２曲線に変化したと判定した時点で、進入車線の推定を行うことができる。その結果、対象車両が旋回を開始してから比較的早い段階で、対象車両が進入しようとしている進入車線を推定することができる。
また、本構成によれば、対象車両の走行軌跡を示す走行軌跡情報に基づいて、第１曲線及び第２曲線に関する情報を取得することができる。これにより、第１曲線の形状と第２曲線の曲率半径とに基づいて、推定旋回軌跡を精度良く推定することができ、延いては進入車線を精度良く推定することができる。
【図面の簡単な説明】
【００１１】
【図１】第１の実施形態に係る進入車線推定システムの概略構成を示すブロック図
【図２】第１の実施形態に係る進入車線推定部による進入車線の推定の一例を示す図
【図３】第１の実施形態に係る進入車線推定部による進入車線の推定の一例を示す図
【図４】進入車線推定処理の手順の一例を示すフローチャート
【図５】第２の実施形態に係る進入車線推定部による進入車線の推定の一例を示す図
【発明を実施するための形態】
【００１２】
１．第１の実施形態
以下では、実施形態に係る進入車線推定システム（進入車線推定方法及び進入車線推定プログラムを含む）の第１の実施形態について、図面を参照して説明する。図１に示すように、第１の実施形態に係る進入車線推定システム１００は、制御ユニット１０を備えている。図示は省略するが、制御ユニット１０は、単数又は複数のＣＰＵ（Central Processing Unit）等の演算処理装置を中核部材として備えると共に、当該演算処理装置が参照可能な主記憶装置を備えている。この主記憶装置は、例えば、ＲＡＭ（Random Access Memory）やＲＯＭ（Read Only Memory）等とされる。なお、演算処理装置が参照可能な記憶装置として、制御ユニット１０とは別に設けられる二次記憶装置を用いることも可能である。この二次記憶装置は、例えばフラッシュメモリやハードディスク等の、情報を記憶及び書き換え可能な記憶媒体をハードウェア構成として備える。以下の説明では、これら主記憶装置及び二次記憶装置を含む概念として「記憶装置」を用いる。
【００１３】
制御ユニット１０は、記憶装置に記憶されている各種プログラム（進入車線推定プログラムを構成する各プログラム）を実行することで、図１に示す制御ユニット１０の各機能部の機能を実現する。つまり、進入車線推定システム１００の各機能部は、記憶装置に記憶されたソフトウェア（プログラム）若しくは別途設けられた演算回路等のハードウェア、又はそれらの両方により構成される。換言すれば、進入車線推定システム１００の各機能部の機能を演算処理装置（コンピュータ）に実現させるためのプログラム（進入車線推定プログラム）は、当該演算処理装置が参照可能な記憶装置に記憶される。進入車線推定プログラムは、例えば、記憶媒体により提供され、或いは、通信ネットワークを介して提供される。進入車線推定システム１００が、車両用のナビゲーションシステムに組み込まれて利用される場合、提供された進入車線推定プログラムは例えばナビゲーションシステムの車載装置にインストールされて、進入車線推定システム１００が実現される。なお、進入車線推定システム１００は、車載装置に限らず、ユーザが持ち運び可能な可搬装置（ポータブルナビゲーション装置、携帯型情報端末装置、多機能携帯電話等）を用いて実現されても良い。
【００１４】
進入車線推定システム１００は、交差点Ｃに接続された複数の道路Ｒの１つである進入道路Ｒｉが有する複数の車線Ｌの１つであり、交差点Ｃから進入道路Ｒｉに向けて旋回する対象車両Ｖが進入しようとしている車線Ｌである進入車線Ｌｉを推定するシステムである。
【００１５】
図２に示すように、本実施形態では、交差点Ｃは十字路であり、交差点Ｃに４つの道路Ｒが接続されている。なお、本実施形態では、道路Ｒは左側通行である。本実施形態では、進入道路Ｒｉに対して直角を成す道路Ｒである退出道路Ｒｏが有する複数の車線Ｌの１つである退出車線Ｌｏに位置する対象車両Ｖが、交差点Ｃで旋回して進入道路Ｒｉに移動しようとしている。なお、以下の説明では、進入道路Ｒｉの延在方向に平面視で直交する方向を「道路幅方向Ｗ」とする。
【００１６】
本実施形態では、進入道路Ｒｉの複数の車線Ｌは、適正車線Ｌ１と対向車線Ｌ２とを含む。適正車線Ｌ１は、交差点Ｃから進入道路Ｒｉへの車両の進入方向と同一方向に車両が走行することが規定された車線Ｌである。対向車線Ｌ２は、交差点Ｃから進入道路Ｒｉへの車両の進入方向とは逆方向に車両が走行することが規定された車線Ｌである。図示の例では、２つの適正車線Ｌ１と２つの対向車線Ｌ２とが、中央線ＣＬを挟んで互いに道路幅方向Ｗの反対側に配置されている。また、図示の例では、交差点Ｃに接続された、進入道路Ｒｉを除く３つの道路Ｒのそれぞれについても、進入道路Ｒｉと同様に、互いに車両の進行方向が逆方向である車線Ｌが２つずつ設けられている。
【００１７】
図１に示すように、進入車線推定システム１００は、走行軌跡情報取得部１と、車線情報取得部２と、相対関係情報取得部３と、進入車線推定部４と、を備えている。本実施形態では、進入車線推定システム１００は、画像取得部５と、画像認識部６と、基準位置情報取得部７と、を更に備えている。
【００１８】
走行軌跡情報取得部１は、対象車両Ｖの走行軌跡Ｔ（現在位置の推移）（図２参照）を示す走行軌跡情報Ｄ１を取得する機能部である。本実施形態では、走行軌跡情報取得部１により実行される処理が「走行軌跡情報取得ステップ」に相当し、その処理の実行により実現される機能が「走行軌跡情報取得機能」に相当する。
【００１９】
走行軌跡情報取得部１は、走行軌跡検出装置１１の検出信号に基づいて、走行軌跡情報Ｄ１を取得する。具体的には、走行軌跡情報取得部１は、複数の時点における対象車両Ｖの現在位置を特定することで、走行軌跡情報Ｄ１を取得する。各時点で特定される対象車両Ｖの現在位置は、１つ前の時点で特定された現在位置からの相対位置とすることもできるし、絶対位置とすることもできる。相対位置又は絶対位置の情報は、例えば、緯度及び経度の情報（座標情報）とされる。また、走行軌跡情報取得部１が、走行軌跡情報Ｄ１として、各位置での対象車両Ｖの進行方向の情報も取得する構成とされても良い。走行軌跡検出装置１１は、例えば、ＧＰＳ（Global Positioning System）センサ、車速センサ、角速度センサ等の各種センサを備える。
【００２０】
車線情報取得部２は、交差点Ｃにおける進入道路Ｒｉの複数の車線Ｌの位置関係を示す車線情報Ｄ２を取得する機能部である。本実施形態では、車線情報取得部２により実行される処理が「車線情報取得ステップ」に相当し、その処理の実行により実現される機能が「車線情報取得機能」に相当する。
【００２１】
車線情報Ｄ２は、進入道路Ｒｉの各車線Ｌの道路幅方向Ｗの位置を直接的に示す情報であっても良いし、間接的に示す情報であっても良い。つまり、車線情報Ｄ２に示された進入道路Ｒｉの各車線Ｌの道路幅方向Ｗの位置は、絶対位置であっても相対位置（例えば、進入道路Ｒｉの道路幅方向Ｗの中心（中央線ＣＬ）に対する相対位置、進入道路Ｒｉの道路幅方向Ｗの端部に対する相対位置等）であっても良い。例えば、車線情報Ｄ２を、進入道路Ｒｉの道路幅方向Ｗの中心（中央線ＣＬ）の位置、進入道路Ｒｉの道路幅方向Ｗの端部の位置、進入道路Ｒｉにおける車線Ｌの数、進入道路Ｒｉにおける各車線Ｌの道路幅方向Ｗの長さ、進入道路Ｒｉにおける各車線Ｌの道路幅方向Ｗの中心位置、及び、進入道路Ｒｉにおける各車線Ｌの道路幅方向Ｗの端部の位置（車線Ｌ間の境界位置等）の少なくとも１つを含む情報とすることができる。
【００２２】
本実施形態では、車線情報取得部２は、データベース２０から車線情報Ｄ２を取得する。データベース２０には、経路案内、交通情報案内、及び地図表示等に必要な地図情報が記憶されている。地図情報には、道路情報が含まれている。道路情報は、道路ネットワークの情報であり、交差点Ｃに対応するノードの情報と、ノード間を接続する道路Ｒに対応するリンクの情報とを含む。リンクは、各車線Ｌに対応して整備されても良い。道路情報には、ノードの情報として、例えば、ノードの位置、ノードの属性（例えば、交差点種別）等の情報が含まれる。また、道路情報には、リンクの情報として、例えば、リンクの端点（始点及び終点）の位置、リンク長、車線Ｌの数、道路Ｒの道路幅方向Ｗの長さ、車線Ｌの道路幅方向Ｗの長さ、車線Ｌ毎の進行方向の区分等の情報が含まれる。ノードの位置の情報やリンクの端点の位置の情報は、緯度及び経度の情報（座標情報）とされる。ノードの位置の情報やリンクの端点の位置の情報は、基本的に絶対位置の情報とされる。道路情報には、２つのノードの間（すなわち、リンク上）に配置されてリンクの詳細形状を示す形状補間点の情報も含まれている。
【００２３】
相対関係情報取得部３は、交差点Ｃの基準位置Ｐと対象車両Ｖとの相対位置関係を示す相対関係情報Ｄ３を取得する機能部である。相対関係情報Ｄ３に示された基準位置Ｐと対象車両Ｖとの相対関係は、例えば、緯度及び経度で表される座標上での相対位置関係（緯度の差及び経度の差）とされる。本実施形態では、相対関係情報取得部３により実行される処理が「相対関係情報取得ステップ」に相当し、その処理の実行により実現される機能が「相対関係情報取得機能」に相当する。
【００２４】
基準位置Ｐは、交差点Ｃの中心（ノード）に対する位置が固定された位置である。本実施形態では、基準位置Ｐは、交差点Ｃの中心から規定範囲内に設けられた地物である対象地物Ｆの位置である。対象地物Ｆは、例えば、停止線標示Ｍ１、横断歩道標示Ｍ２、進行方向標示等の道路標示、一時停止標識等の道路標識、又は信号機等とすることができる。つまり、対象地物Ｆは、道路Ｒ上に設けられた道路標示等の平面的な地物であっても良いし、道路標識や信号機等の立体的な地物であっても良い。本例では、対象地物Ｆは、退出道路Ｒｏ上に設けられた停止線標示Ｍ１である。
【００２５】
本実施形態では、相対関係情報取得部３は、相対関係情報Ｄ３を画像認識部６から取得する。画像認識部６は、画像取得部５が取得した対象画像ＩＭに対して画像認識処理を行う。
【００２６】
画像取得部５は、対象車両Ｖに搭載された車載カメラ５１により撮影された対象画像ＩＭを取得する。対象画像ＩＭは、対象地物Ｆ（本例では、停止線標示Ｍ１）が含まれる画像である。本実施形態では、車載カメラ５１は、対象車両Ｖの前方を撮影するフロントカメラである。なお、対象車両Ｖには、対象車両Ｖの側方を撮影するサイドカメラ、対象車両Ｖの後方を撮影するバックカメラ等も搭載されている場合があり、これらを車載カメラ５１として利用してもよい。
【００２７】
画像認識部６は、対象画像ＩＭに対する画像認識処理を行って、当該対象画像ＩＭ中の対象地物Ｆを認識する。画像認識部６は、例えば、対象画像ＩＭの二値化処理を行った後にエッジ検出処理を行い、検出されたエッジ形状に基づいてパターンマッチング等を行うことにより、対象地物Ｆを認識する処理を行う。
【００２８】
本実施形態では、相対関係情報取得部３は、画像認識部６による対象画像ＩＭに対する画像認識処理の結果に基づいて、対象地物Ｆに対する対象車両Ｖの相対位置である車両相対位置Ｐｖ１を演算する。車両相対位置Ｐｖ１は、例えば、対象画像ＩＭを平面視の画像に射影変換する、又は、対象画像ＩＭ中の位置と実際の地表面における各地点との関係が示された変換テーブルを利用する等して、対象画像ＩＭ中の対象地物Ｆの位置から演算することができる。このように、相対関係情報取得部３は、交差点Ｃの基準位置Ｐと対象車両Ｖとの相対位置関係を示す相対関係情報Ｄ３を、画像認識部６による画像認識結果に基づいて取得する。
【００２９】
また、本実施形態では、相対関係情報取得部３は、車両相対位置Ｐｖ１と、基準位置情報取得部７が取得した基準位置情報Ｄ４に示された対象地物Ｆの絶対位置と、に基づいて、対象画像ＩＭが撮影された時点での対象車両Ｖの絶対位置である車両絶対位置Ｐｖ２を演算する。これにより、対象車両Ｖの絶対位置を、ＧＰＳセンサの検出結果に基づく場合よりも高精度に取得することができる。
【００３０】
基準位置情報取得部７は、データベース２０から基準位置情報Ｄ４を取得する。本実施形態では、データベース２０に記憶された地図情報には、上述した道路情報に加えて地物情報が含まれている。地物情報は、道路Ｒ上や道路Ｒ周辺に設けられた各種地物（例えば、道路標示、道路標識、信号機等）の情報である。データベース２０には、地物情報として、対象地物Ｆの絶対位置を示す基準位置情報Ｄ４が記憶されている。
【００３１】
本実施形態では、相対関係情報取得部３により演算された車両絶対位置Ｐｖ２を走行軌跡情報取得部１が取得する。そして、走行軌跡情報取得部１は、車両絶対位置Ｐｖ２を基準とした対象車両Ｖの走行軌跡Ｔを演算する。車両絶対位置Ｐｖ２は、対象画像ＩＭが撮影された時点の対象車両Ｖの絶対位置を示している。そのため、車両絶対位置Ｐｖ２を基準とした対象車両Ｖの走行軌跡Ｔを演算することで、走行軌跡Ｔの各地点の絶対位置を取得することができる。
【００３２】
進入車線推定部４は、走行軌跡情報Ｄ１、車線情報Ｄ２、及び相対関係情報Ｄ３に基づいて、進入車線Ｌｉを推定する。本実施形態では、進入車線推定部４により実行される処理が「進入車線推定ステップ」に相当し、その処理の実行により実現される機能が「進入車線推定機能」に相当する。
【００３３】
図２に示すように、進入車線推定部４は、交差点Ｃにおいて対象車両Ｖが旋回を開始した後、走行軌跡情報Ｄ１に基づく対象車両Ｖの旋回中の走行軌跡Ｔである実旋回軌跡Ｔ１が、第１曲線Ｃ１から第２曲線Ｃ２に変化したと判定した場合に、当該判定した位置から進入車線Ｌｉに進入するまでの対象車両Ｖの走行軌跡Ｔである推定旋回軌跡Ｔ２を、第１曲線Ｃ１の形状と第２曲線Ｃ２の曲率半径ｒとに基づいて推定する。第１曲線Ｃ１は、クロソイド曲線状の曲線である。第１曲線Ｃ１の曲率半径は、対象車両Ｖの進行方向に向かって次第に小さくなる。第２曲線Ｃ２は、円弧状の曲線である。第２曲線Ｃ２の曲率半径ｒは一定である。
【００３４】
本実施形態では、対象車両Ｖが、以下のように退出道路Ｒｏ及び交差点Ｃを走行する場合を例として説明する。
即ち、退出車線Ｌｏにおける停止線標示Ｍ１手前の第１地点Ｐ１に位置する対象車両Ｖが、退出車線Ｌｏを直進し、退出道路Ｒｏと交差点Ｃとの境界部の第２地点Ｐ２に到達している。そして、対象車両Ｖは、第２地点Ｐ２において旋回（右折）を開始している。対象車両Ｖは、第２地点Ｐ２から第３地点Ｐ３までは、走行軌跡Ｔが第１曲線Ｃ１となるように旋回し、第３地点Ｐ３から第４地点Ｐ４までは、走行軌跡Ｔが第２曲線Ｃ２となるように旋回している。
【００３５】
第４地点Ｐ４は、走行軌跡Ｔが第１曲線Ｃ１から第２曲線Ｃ２に変化したと判定される地点である。そのため、第４地点Ｐ４以降の対象車両Ｖの旋回中の走行軌跡Ｔが、進入車線推定部４による進入車線推定処理の対象と推定される。つまり、対象車両Ｖの旋回中の走行軌跡Ｔにおいて、第２地点Ｐ２から第４地点Ｐ４までの部分が実旋回軌跡Ｔ１に相当し、第４地点Ｐ４以降の部分が推定旋回軌跡Ｔ２に相当する。
【００３６】
一般的に、車両の運転者は、車両を旋回させる場合、車両の直進状態からステアリングホイールを旋回方向側に一定の回転速度で旋回させ、一定の舵角となった後はステアリングホイールの位置を一定期間保持し、車両の旋回終了が近付くと、ステアリングホイールを旋回方向側とは反対側に一定の回転速度で旋回させ、直進状態に復帰させるというような操作を行うことが多いと考えられる。そして、ステアリングホイールを一定の回転速度で旋回させている状態での車両の走行軌跡はクロソイド曲線状となる。そこで、本実施形態では、進入車線推定部４は、推定旋回軌跡Ｔ２が、延長第２曲線Ｃ２ａと第３曲線Ｃ３とを含む曲線であると推定する。ここで、延長第２曲線Ｃ２ａは、第２曲線Ｃ２を当該第２曲線Ｃ２と同じ曲率半径（曲率半径ｒ）で延長した円弧状の曲線である。第３曲線Ｃ３は、第１曲線Ｃ１に線対称の形状であって曲率半径が次第に大きくなるクロソイド曲線状の曲線である。
【００３７】
図示の例では、推定旋回軌跡Ｔ２は、第４地点Ｐ４から第５地点Ｐ５にかけて位置する延長第２曲線Ｃ２ａ、及び、第５地点Ｐ５から第６地点Ｐ６にかけて位置する第３曲線Ｃ３から構成されている。そして、第３曲線Ｃ３は、第２曲線Ｃ２又は延長第２曲線Ｃ２ａの曲率中心Ｏを通り、第２曲線Ｃ２と延長第２曲線Ｃ２ａとを繋げた円弧状の曲線を二等分する仮想線Ｘを対称軸として、第１曲線Ｃ１に対して線対称の曲線としている。
【００３８】
なお、推定旋回軌跡Ｔ２の第３曲線Ｃ３は実旋回軌跡Ｔ１の第１曲線Ｃ１に線対称であり、第１曲線Ｃ１の長さは既知であるため、第３曲線Ｃ３の長さも既知である。更に、実旋回軌跡Ｔ１の第２曲線Ｃ２の長さも既知である。一方、推定旋回軌跡Ｔ２の延長第２曲線Ｃ２ａの長さは未知である。そのため、延長第２曲線Ｃ２ａの長さに依存する第５地点Ｐ５の位置を特定することは困難である。しかし、第３曲線Ｃ３の形状が既知であるため、第６地点Ｐ６の位置に応じて第５地点Ｐ５の位置を特定することができる。ここでは、対象車両Ｖは、推定旋回軌跡Ｔ２の終点である第６地点Ｐ６において、当該対象車両Ｖの向き（前後方向）が進入道路Ｒｉの延在方向に対して平行となるように、進入道路Ｒｉに進入すると仮定できる。そのため、第６地点Ｐ６を通る第３曲線Ｃ３の接線が、進入道路Ｒｉの延在方向に対して平行となるような第３曲線Ｃ３の配置を特定することで、第５地点Ｐ５及び第６地点Ｐ６の位置を特定することができる。
【００３９】
図２に示す例では、道路幅方向Ｗにおいて、推定旋回軌跡Ｔ２の終点である第６地点Ｐ６が、中央線ＣＬに隣接する適正車線Ｌ１の配置領域内に位置している。そのため、進入車線推定部４は、中央線ＣＬに隣接する適正車線Ｌ１が進入車線Ｌｉであると推定する。
【００４０】
図３に示す例では、道路幅方向Ｗにおいて、推定旋回軌跡Ｔ２の終点である第６地点Ｐ６が、中央線ＣＬに隣接する対向車線Ｌ２の配置領域内に位置している。そのため、進入車線推定部４は、中央線ＣＬに隣接する対向車線Ｌ２が進入車線Ｌｉであると推定する。このような場合、進入車線推定部４は、対象車両Ｖが逆走しようとしていると判定すると好適である。そして、対象車両Ｖが逆走しようとしていると判定された場合は、例えば、対象車両Ｖの運転者に対して逆走についての警告を発する、逆走を回避するための車両制御を行う等、対象車両Ｖの逆走を回避するための処理を行うと好適である。
【００４１】
なお、図２に示す例のように適正車線Ｌ１が進入車線Ｌｉであると推定された場合であっても、進入車線Ｌｉに故障車や落下物等の障害物が存在するか否かを判定すると好適である。そして、進入車線Ｌｉに障害物が存在すると判定された場合は、例えば、対象車両Ｖの運転者に対して障害物の存在についての警告を発する、障害物を回避するための車両制御を行う等、対象車両Ｖの障害物を回避するための処理を行うと好適である。進入車線Ｌｉに障害物が存在するか否かは、道路Ｒの周辺に設置された通信装置（光ビーコン等の路側通信機）からの情報、車載カメラ５１により撮影された対象車両Ｖの前方の画像に対する画像認識処理の結果等に基づいて判定することができる。
【００４２】
以下では、図４を参照して、本実施形態の進入車線推定システム１００において実行される車進入車線推定処理の手順の一例について説明する。
【００４３】
図４に示すように、まず、車載カメラ５１により撮影された対象画像ＩＭが、画像取得部５によって取得された場合に（ステップ＃１：Ｙｅｓ）、画像認識部６が対象画像ＩＭに対する画像認識処理を行って、当該対象画像ＩＭ中の対象地物Ｆを認識する（ステップ＃２）。なお、本例では、退出車線Ｌｏにおける停止線標示Ｍ１手前の第１地点Ｐ１（図２，３参照）に対象車両Ｖが位置する時点で、対象地物Ｆとしての停止線標示Ｍ１が含まれる対象画像ＩＭを車載カメラ５１が撮影する。車載カメラ５１による撮影は、予め設定された時間間隔で行っても良いし、予め設定された道路Ｒ上の位置（例えば、第１地点Ｐ１）に対象車両Ｖが到達した時点で行っても良い。
【００４４】
次に、相対関係情報取得部３が、画像認識部６による対象画像ＩＭに対する画像認識処理の結果に基づいて、対象地物Ｆ（ここでは、停止線標示Ｍ１）に対する対象車両Ｖの相対位置である車両相対位置Ｐｖ１を演算する（ステップ＃３）。
【００４５】
そして、基準位置情報取得部７が、対象地物Ｆ（ここでは、停止線標示Ｍ１）の絶対位置を示す基準位置情報Ｄ４をデータベース２０から取得する（ステップ＃４）。
【００４６】
続いて、相対関係情報取得部３が、車両相対位置Ｐｖ１と、基準位置情報Ｄ４に示された対象地物Ｆ（ここでは、停止線標示Ｍ１）の絶対位置と、に基づいて、対象車両Ｖの絶対位置である車両絶対位置Ｐｖ２を演算する（ステップ＃５）。
【００４７】
そして、走行軌跡情報取得部１が、車両絶対位置Ｐｖ２を基準とした対象車両Ｖの走行軌跡Ｔの演算を開始する（ステップ＃６）。本例では、走行軌跡情報取得部１は、走行軌跡検出装置１１の車速センサ及び角速度センサを用いて、第１地点Ｐ１を基点とする対象車両Ｖの相対位置を取得する。本例では、車両絶対位置Ｐｖ２は、対象画像ＩＭが撮影された時点での対象車両Ｖの絶対位置であるため、第１地点Ｐ１の絶対位置に対応する。そのため、走行軌跡情報取得部１は、走行軌跡検出装置１１の車速センサ及び角速度センサを用いて取得された、第１地点Ｐ１を基点とする対象車両Ｖの相対位置と、車両絶対位置Ｐｖ２と、に基づいて、走行軌跡Ｔの各地点の絶対位置を演算することができる。
【００４８】
その後、進入車線推定部４が、対象車両Ｖが交差点Ｃで旋回を開始したか否かを判定する（ステップ＃７）。換言すれば、対象車両Ｖが第２地点Ｐ２に到達したか否かが判定される。対象車両Ｖが交差点Ｃで旋回を開始したか否かは、例えば、走行軌跡Ｔを示す走行軌跡情報Ｄ１に基づき、或いは、走行軌跡検出装置１１の角速度センサの検出結果に基づき判定することができる。なお、対象車両Ｖが交差点Ｃで旋回を開始したと判定されない状態で、対象車両Ｖが交差点Ｃの中心を越えた場合には、進入車線推定部４は進入車線Ｌｉの推定を行わない。
【００４９】
進入車線推定部４は、対象車両Ｖが交差点Ｃで旋回を開始したと判定した場合（ステップ＃７：Ｙｅｓ）、実旋回軌跡Ｔ１が第１曲線Ｃ１から第２曲線Ｃ２に変化したか否かを判定する（ステップ＃８）。実旋回軌跡Ｔ１が第１曲線Ｃ１から第２曲線Ｃ２に変化したか否かは、例えば、走行軌跡Ｔを示す走行軌跡情報Ｄ１に基づき、或いは、走行軌跡検出装置１１の角速度センサの検出結果に基づき判定することができる。進入車線推定部４は、実旋回軌跡Ｔ１が第１曲線Ｃ１から第２曲線Ｃ２に変化したと判定した場合（ステップ＃８：Ｙｅｓ）、上述したように、推定旋回軌跡Ｔ２を第１曲線Ｃ１の形状と第２曲線Ｃ２の曲率半径ｒとに基づいて推定する（ステップ＃９）。
【００５０】
最後に、進入車線推定部４は、推定旋回軌跡Ｔ２と、車線情報取得部２により取得された車線情報Ｄ２又は地図情報と、に基づいて、対象車両Ｖが進入しようとしている進入車線Ｌｉを推定する（ステップ＃１０）。
【００５１】
２．第２の実施形態
以下では、進入車線推定システム（進入車線推定方法及び進入車線推定プログラムを含む）の第２の実施形態について、図５を参照して説明する。本実施形態では、推定旋回軌跡Ｔ２の推定方法が、上記第１の実施形態のものとは異なっている。以下では、上記第１の実施形態との相違点を中心として説明する。なお、特に説明しない点については、上記第１の実施形態と同様とする。
【００５２】
図５に示すように、本実施形態では、進入車線推定部４は、推定旋回軌跡Ｔ２が、延長第２曲線Ｃ２ａと第４曲線Ｃ４とを含む曲線であると推定する。第４曲線Ｃ４は、第１曲線Ｃ１の長さに応じた長さを有すると共に予め設定された形状を有する曲線である。本例では、第４曲線Ｃ４は、仮想線Ｘを対称軸とした第１曲線Ｃ１に線対称な形状とは異なる形状となっている。
【００５３】
図５に示す例では、推定旋回軌跡Ｔ２は、第４地点Ｐ４から第５地点Ｐ５にかけて位置する延長第２曲線Ｃ２ａ、及び、第５地点Ｐ５から第６地点Ｐ６にかけて位置する第４曲線Ｃ４から構成されている。
【００５４】
第４曲線Ｃ４は、例えば、車両特性、車速、運転者による運転操作の癖等の各種要因に応じて設定される。具体的には、上記の各種要因に応じた複数の形状の曲線が用意されており、進入車線推定部４が推定旋回軌跡Ｔ２を推定する時点での対象車両Ｖの状況に応じて適切な曲線が第４曲線Ｃ４として採用される。また、互いに異なる長さを有する複数の曲線が用意されており、第１曲線Ｃ１の長さに応じた長さを有する曲線が第４曲線Ｃ４として採用される。例えば、第１曲線Ｃ１と同一の長さを有する曲線が第４曲線Ｃ４として採用される。また、例えば、第４曲線Ｃ４は、運転者毎、及び、対象車両Ｖの状況を分類した条件毎に走行軌跡Ｔを学習し、当該学習結果に基づいて設定される曲線としても好適である。
【００５５】
３．その他の実施形態
（１）上記の実施形態では、相対関係情報取得部３が相対関係情報Ｄ３を画像認識部６から取得すると共に、基準位置情報取得部７が基準位置情報Ｄ４をデータベース２０から取得する構成を例として説明した。しかし、そのような構成に限定されることなく、道路Ｒの周辺に設置された光ビーコン等の路側通信機を対象地物Ｆとし、路側通信機と路車間通信を行う通信装置を利用することによって、相対関係情報Ｄ３及び基準位置情報Ｄ４を取得しても良い。具体的には、通信装置が、路側通信機の設置位置の情報（例えば、緯度及び経度の情報）を路側通信機から受信し、当該情報を基準位置情報Ｄ４として基準位置情報取得部７が取得する。更に、相対関係情報取得部３が、通信装置の対象車両Ｖへの設置形態や路側通信機の設置形態等に基づき、通信装置による路側通信機との通信時における、路側通信機の位置である基準位置Ｐと対象車両Ｖとの相対位置関係を示す相対関係情報Ｄ３を取得する。
【００５６】
（２）上記の実施形態では、車線情報取得部２がデータベース２０から車線情報Ｄ２を取得する構成を例として説明した。しかし、そのような構成に限定されることなく、車線情報取得部２が、例えば、上述した路側通信機との間での路車間通信によって車線情報Ｄ２を取得する構成としても良い。また例えば、対象車両Ｖの前方を撮影した画像に含まれる路面の区画線等の画像認識部６による画像認識結果に基づいて、車線情報取得部２が車線情報Ｄ２を取得する構成としても良い。
【００５７】
（３）上記の実施形態では、進入道路Ｒｉが退出道路Ｒｏに対して直角を成す道路Ｒである場合を例として説明した。しかし、進入道路Ｒｉが退出道路Ｒｏと同一であっても良い。これは、対象車両Ｖが交差点ＣにおいてＵターンを行う場合である。このような場合、進入車線Ｌｉは、退出道路Ｒｏにおける、車両の進行方向が退出車線Ｌｏとは逆方向の車線Ｌとなる。進入車線推定部４は、例えば、第１曲線Ｃ１の長さが規定の第１閾値以下であり、かつ、第２曲線Ｃ２の曲率半径ｒが規定の第２閾値以下の場合に、対象車両Ｖが交差点ＣにおいてＵターンを行おうとしていると推定することができる。
【００５８】
（４）上記の実施形態では、対象車両Ｖが交差点Ｃで右折して進入道路Ｒｉに移動しようとしている場合や、道路Ｒが左側通行である場合を例として説明した。しかし、対象車両Ｖが交差点Ｃで左折して進入道路Ｒｉに移動しようとしている場合や、道路Ｒが右側通行である場合であっても、上記の実施形態と同様に、進入車線推定システム１００は、第１曲線Ｃ１の形状と第２曲線Ｃ２の曲率半径ｒとに基づいて推定旋回軌跡Ｔ２を推定し、進入車線Ｌｉを推定することができる。
【００５９】
（５）上記の実施形態で示した進入車線推定システム１００（制御ユニット１０）の各機能部の割り当ては単なる一例であり、複数の機能部を組み合わせたり、１つの機能部を更に区分けしたりすることも可能である。
【００６０】
（６）なお、上述した各実施形態で開示された構成は、矛盾が生じない限り、他の実施形態で開示された構成と組み合わせて適用することも可能である。その他の構成に関しても、本明細書において開示された実施形態は全ての点で単なる例示に過ぎない。従って、本開示の趣旨を逸脱しない範囲内で、適宜、種々の改変を行うことが可能である。
【００６１】
４．上記実施形態の概要
以下では、上記において説明した進入車線推定システム（１００）の概要について説明する。
【００６２】
進入車線推定システム（１００）は、
交差点（Ｃ）に接続された複数の道路（Ｒ）の１つである進入道路（Ｒｉ）が有する複数の車線（Ｌ）の１つであり、前記交差点（Ｃ）から前記進入道路（Ｒｉ）に向けて旋回する対象車両（Ｖ）が進入しようとしている車線（Ｌ）である進入車線（Ｌｉ）を推定する進入車線推定システム（１００）であって、
前記対象車両（Ｖ）の走行軌跡（Ｔ）を示す走行軌跡情報（Ｄ１）を取得する走行軌跡情報取得部（１）と、
前記交差点（Ｃ）における前記進入道路（Ｒｉ）の複数の前記車線（Ｌ）の位置関係を示す車線情報（Ｄ２）を取得する車線情報取得部（２）と、
前記交差点（Ｃ）の基準位置（Ｐ）と前記対象車両（Ｖ）との相対位置関係を示す相対関係情報（Ｄ３）を取得する相対関係情報取得部（３）と、
前記走行軌跡情報（Ｄ１）、前記車線情報（Ｄ２）、及び前記相対関係情報（Ｄ３）に基づいて、前記進入車線（Ｌｉ）を推定する進入車線推定部（４）と、を備え、
前記進入車線推定部（４）は、
前記交差点（Ｃ）において前記対象車両（Ｖ）が旋回を開始した後、前記走行軌跡情報（Ｄ１）に基づく前記対象車両（Ｖ）の旋回中の走行軌跡（Ｔ）である実旋回軌跡（Ｔ１）が、曲率半径が次第に小さくなるクロソイド曲線状である第１曲線（Ｃ１）から、曲率半径（ｒ）が一定の円弧状である第２曲線（Ｃ２）に変化したと判定した場合に、
前記第１曲線（Ｃ１）から前記第２曲線（Ｃ２）に移行したと判定した位置（Ｐ４）から前記進入車線（Ｌｉ）に進入するまでの前記対象車両（Ｖ）の走行軌跡（Ｔ）である推定旋回軌跡（Ｔ２）を、前記第１曲線（Ｃ１）の形状と、前記第２曲線（Ｃ２）の曲率半径（ｒ）と、に基づいて推定する。
【００６３】
この構成によれば、実旋回軌跡（Ｔ１）が、第１曲線（Ｃ１）から第２曲線（Ｃ２）に変化したと判定した時点で、進入車線（Ｌｉ）の推定を行うことができる。その結果、対象車両（Ｖ）が旋回を開始してから比較的早い段階で、対象車両（Ｖ）が進入しようとしている進入車線（Ｌｉ）を推定することができる。
また、本構成によれば、対象車両（Ｖ）の走行軌跡（Ｔ）を示す走行軌跡情報（Ｄ１）に基づいて、第１曲線（Ｃ１）及び第２曲線（Ｃ２）に関する情報を取得することができる。これにより、第１曲線（Ｃ１）の形状と第２曲線（Ｃ２）の曲率半径（ｒ）とに基づいて、推定旋回軌跡（Ｔ２）を精度良く推定することができ、延いては進入車線（Ｌｉ）を精度良く推定することができる。
【００６４】
ここで、前記基準位置（Ｐ）は、前記交差点（Ｃ）の中心から規定範囲内に設けられた地物である対象地物（Ｆ）の位置であり、
前記対象車両（Ｖ）に搭載された車載カメラ（５１）により撮影された、前記対象地物（Ｆ）が含まれる画像である対象画像（ＩＭ）を取得する画像取得部（５）と、
前記対象画像（ＩＭ）に対する画像認識処理を行って、当該対象画像（ＩＭ）中の前記対象地物（Ｆ）を認識する画像認識部（６）と、
前記対象地物（Ｆ）の絶対位置を示す基準位置情報（Ｄ４）が記憶されたデータベース（２０）から前記基準位置情報（Ｄ４）を取得する基準位置情報取得部（７）と、を更に備え、
前記相対関係情報取得部（３）は、
前記画像認識処理の結果に基づいて、前記対象地物（Ｆ）に対する前記対象車両（Ｖ）の相対位置である車両相対位置（Ｐｖ１）を演算し、
前記車両相対位置（Ｐｖ１）と、前記基準位置情報（Ｄ４）に示された前記対象地物（Ｆ）の絶対位置と、に基づいて、前記対象車両（Ｖ）の絶対位置である車両絶対位置（Ｐｖ２）を演算し、
前記走行軌跡情報取得部（１）は、前記車両絶対位置（Ｐｖ２）を基準とした前記対象車両（Ｖ）の走行軌跡（Ｔ）を演算すると好適である。
【００６５】
この構成によれば、対象画像（ＩＭ）に対する画像認識処理の結果に基づいて演算された車両相対位置（Ｐｖ１）と、データベース（２０）から取得された基準位置情報（Ｄ４）に示された対象地物（Ｆ）の絶対位置と、に基づいて、車両絶対位置（Ｐｖ２）が演算される。これにより、例えば交差点（Ｃ）における旋回開始前等、対象画像（ＩＭ）が車載カメラ（５１）により撮影された時点での対象車両（Ｖ）の位置を精度良く推定することができる。したがって、車両絶対位置（Ｐｖ２）を基準とした、高精度の走行軌跡（Ｔ）を取得することができる。その結果、進入車線（Ｌｉ）を更に精度良く推定することができる。
【００６６】
また、前記進入車線推定部（４）は、前記推定旋回軌跡（Ｔ２）が、前記第２曲線（Ｃ２）を当該第２曲線（Ｃ２）と同じ曲率半径（ｒ）で延長した円弧状の曲線（Ｃ２ａ）と、前記第１曲線（Ｃ１）に線対称の形状であって曲率半径が次第に大きくなるクロソイド曲線状である第３曲線（Ｃ３）と、を含む曲線であると推定すると好適である。
【００６７】
一般的に、車両の旋回中の走行軌跡は、線対称となる場合が多い。例えば、車両の旋回中の走行軌跡が、曲率半径が次第に小さくなるクロソイド曲線状である第１曲線（Ｃ１）から、曲率半径（ｒ）が一定の円弧状である第２曲線（Ｃ２）へと変化する場合、その後の走行軌跡は、第２曲線（Ｃ２）を当該第２曲線（Ｃ２）と同じ曲率半径（ｒ）で延長した円弧状の曲線（Ｃ２ａ）から、第１曲線（Ｃ１）に線対称の形状であって曲率半径が次第に大きくなるクロソイド曲線状である第３曲線（Ｃ３）となる場合が多い。本構成によれば、このような傾向を用いて、推定旋回軌跡（Ｔ２）を精度良く推定することができる。
【００６８】
また、前記進入車線推定部（４）は、前記推定旋回軌跡（Ｔ２）が、前記第２曲線（Ｃ２）を当該第２曲線（Ｃ２）と同じ曲率半径（ｒ）で延長した円弧状の曲線（Ｃ２ａ）と、前記第１曲線（Ｃ１）の長さに応じた長さを有すると共に予め設定された形状を有する第４曲線（Ｃ４）と、を含む曲線であると推定すると好適である。
【００６９】
車両の旋回中の走行軌跡は、車両特性、車速、運転者による運転操作の癖等の各種要因に応じて異なる場合がある。本構成によれば、これらの要因に応じた適切な形状の第４曲線（Ｃ４）を予め設定しておき、第２曲線（Ｃ２）と同じ曲率半径（ｒ）で延長した円弧状の曲線（Ｃ２ａ）と当該第４曲線（Ｃ４）とを用いることにより、推定旋回軌跡（Ｔ２）を精度良く推定することができる。
【００７０】
また、前記進入車線推定部（４）は、推定した前記進入車線（Ｌｉ）が前記進入道路（Ｒｉ）の対向車線（Ｌ２）である場合に、前記対象車両（Ｖ）が逆走しようとしていると判定すると好適である。
【００７１】
この構成によれば、例えば、対象車両（Ｖ）の運転者に対して逆走についての警告を発する、逆走を回避するための車両制御を行う等、対象車両（Ｖ）の逆走を回避するための処理を行うことができる。
【００７２】
上述した進入車線推定システム（１００）の種々の技術的特徴は、進入車線推定方法や進入車線推定プログラムにも適用可能である。例えば、進入車線推定方法は、上述した進入車線推定システム（１００）の特徴を備えたステップを有することができる。また、進入車線推定プログラムは、上述した進入車線推定システム（１００）の特徴を備えた機能をコンピュータに実現させることが可能である。当然ながらこれらの方法及びプログラムも、上述した進入車線推定システム（１００）の作用効果を奏することができる。更に、進入車線推定システム（１００）の好適な態様として例示した種々の付加的特徴を、これら進入車線推定方法及び進入車線推定プログラムに組み込むことも可能であり、当該方法及び当該プログラムはそれぞれの付加的特徴に対応する作用効果も奏することができる。
【産業上の利用可能性】
【００７３】
本開示に係る技術は、交差点から旋回する対象車両が進入しようとしている車線を推定する技術に利用することができる。
【符号の説明】
【００７４】
１００  ：進入車線推定システム
１      ：走行軌跡情報取得部
２      ：車線情報取得部
３      ：相対関係情報取得部
４      ：進入車線推定部
Ｄ１    ：走行軌跡情報
Ｄ２    ：車線情報
Ｄ３    ：相対関係情報
Ｔ      ：走行軌跡
Ｔ１    ：実旋回軌跡
Ｔ２    ：推定旋回軌跡
Ｃ１    ：第１曲線
Ｃ２    ：第２曲線
Ｐ      ：基準位置
Ｃ      ：交差点
Ｒ      ：道路
Ｒｉ    ：進入道路
Ｌ      ：車線
Ｌｉ    ：進入車線
【図１】
2020125988.tif 000003
【図２】
2020125988.tif 000004
【図３】
2020125988.tif 000005
【図４】
2020125988.tif 000006
【図５】
2020125988.tif 000007